(57)【要約】【課題】  感光体ドラムに画像情報の書込を行うＬＥＤヘッドに対して、清掃部材を動作させるように設けて、感光体ドラムの着脱の動作に合わせて清掃作用を行い得るようにして、画像野書き込みを良好に行い得るよにうする。【解決手段】  感光体ドラム１１の表面に、画像の光を照射して静電潜像を形成するために設けるＬＥＤヘッド１５に対して、その光出力面に摺動するように、清掃部材を案内するガイド溝５５を設けている。また、前記ＬＥＤヘッド１５は、装置本体のドア等が開かれたときに、感光体ドラム１１から離間する方向に移動され、感光体ドラムのフランジに磁石５５が付着する状態で、感光体ドラム１１を引き出す動作により、清掃部材が移動されて、光出力窓部をクリーニングする。【選択図】          図３
2006106446.tif 000002
【特許請求の範囲】
【請求項１】
記録部に設けた感光体ドラムに対して、ＬＥＤヘッドを書込装置として配置してなる画像形成装置において、
前記書込装置の光出力部に対して、清掃部材を摺動させる清掃手段を設け、
前記清掃手段は、清掃部材を前記光出力部に沿って案内する機構を有し、
前記記録部に配置する消耗部品を抜き差しする動作を行う都度、前記清掃手段を機械的に動作させることを特徴とする画像形成装置。
【請求項２】
前記書込装置において、光出力部に対する清掃部材の動作を案内するために、前記光出力部に沿わせてガイド溝を設けたガイド部材を配置し、
前記ガイド溝に沿わせて清掃部材を移動させることにより、清掃作用を行うことを特徴とする請求項１に記載の画像形成装置。
【請求項３】
前記ガイド溝の両端部は、前記清掃部材を前記光出力部から離間した位置に案内するように構成されていることを特徴とする請求項２に記載の画像形成装置。
【請求項４】
前記記録部に抜き差し可能に配置する消耗部品に、前記清掃部材に係止される接続手段を設け、
前記消耗部品の移動に追従して清掃部材を移動させ、書込装置の光出力部に対する清掃作用を行わせることを特徴とする請求項１ないし３のいずれかに記載の画像形成装置。
【請求項５】
前記記録部に抜き差し可能に配置する消耗部品が感光体ドラムであり、前記感光体ドラムのリヤ側の端部に磁気的な接続手段を設けて、清掃部材を移動させるよう構成したことを特徴とする請求項３に記載の画像形成装置。
【発明の詳細な説明】
【技術分野】
【０００１】
本発明は、感光体ドラムにトナー画像を形成するために、書込手段としてのＬＥＤヘッドを設けた画像形成装置に関し、特に、前記ＬＥＤヘッドにトナー等が付着することによる汚れを、記録部に設ける消耗部品の抜き差し（着脱）の動作に追従させて、自動的に清掃可能にする装置に関する。
【背景技術】
【０００２】
画像形成装置において、感光体ドラムに画像情報を書込みするために、書込装置としてレーザ光を用いた装置を用いる他に、発光ダイオード（ＬＥＤ）を用いた書込装置を用いることも一般的に行われている。前記ＬＥＤを用いた書込装置においては、ＬＥＤ素子にレンズ集合体（セルフォックレンズ）を組み合わせて、感光体ドラムの表面に対して点状に光を照射するように設けている。そして、画像記録装置の画像情報を出力する回路からＬＥＤ素子の各々に画像情報が伝達され、一様に帯電された感光体ドラムに対して、点状に画像の光が照射されて静電潜像が形成される。前記感光体ドラムに形成された静電潜像に対して、現像ローラからトナーが供給されることにより、静電潜像がトナー画像として可視像化され、用紙に対する転写位置で、用紙の裏面から逆極性の電圧が印加されることにより、前記感光体ドラムに担持されているトナー画像が用紙に転写される。その後のステップで、前記トナー画像を担持する用紙を定着装置を通し、用紙に定着することで記録紙（コピー）として作成し、排出トレイに向けて排出される。
【０００３】
前述したようなＬＥＤヘッドを用いた画像形成装置においては、ＬＥＤ素子からセルフォックレンズを介して照射される光の焦点距離が短いために、ＬＥＤヘッドの光照射面を感光体ドラム表面に近接して配置しなければならない。また、感光体ドラム上の静電潜像を現像するために、現像装置の現像ローラを感光体ドラムに、ほぼ接触する位置まで近付ける必要がある。前記画像形成装置に用いられる感光体ドラム、および現像装置は消耗部品であり、これらの部材の本来の作用が正常に行われ得なくなったときには、これらの部品を装置本体から取り外して、新品と交換することが必要となる。前述したように、感光体ドラムおよび現像装置とＬＥＤヘッドとは、各々が非常に近接した位置に配置されているものであるため、これらの部材を装置本体から取り外す際に、感光体ドラム表面のトナーや現像ローラ表面のトナーが遊離し、ＬＥＤヘッドの光照射面に付着するおそれがあった。そこで、そのような汚れを清掃するために、書込装置の光照射面に沿わせて、清掃部材を摺動させるような清掃手段を設けて、感光体ドラムに画像を形成しないタイミングで、清掃を行わせるように構成している（例えば、特許文献１を参照）。
【特許文献１】特開平１１−３３８２２７号公報
【発明の開示】
【発明が解決しようとする課題】
【０００４】
ところが、前記特許文献１に説明しているような清掃装置を設ける場合には、清掃部材としてのクリーニングパッドを光照射面に沿わせて移動させるために、駆動機構と制御機構とを設ける必要がある。つまり、前記特許文献１においても、モータにより駆動されるボールネジ機構を設け、清掃部材をガイドするためのガイド機構を設けること等が必要である。さらに、感光体ドラムが作動していないタイミングで、清掃手段を動作させるために、画像形成装置の電源投入時に、クリーニングの動作を行わせるように、制御装置にプログラムを設定することが必要であり、クリーニング動作のための制御手段その他のプログラム等を付属させる必要がある。したがって、書込装置の光照射面を清掃するために、コストが多くかかるという問題がある。
【０００５】
本発明は、画像形成装置の記録部に配置する消耗部品、例えば、感光体ドラムの抜き差し（着脱）の動作に追従させて、ＬＥＤヘッドの光照射面に対する清掃を、自動的に行い得る装置を提供することを目的としている。
【課題を解決するための手段】
【０００６】
本発明は、記録部に設けた感光体ドラムに対して、ＬＥＤヘッドを書込装置として配置してなる画像形成装置に関する。
請求項１の発明は、前記書込装置の光出力部に対して、清掃部材を摺動させる清掃手段を設け、前記清掃手段は、清掃部材を前記光出力部に沿って案内する機構を有し、前記記録部に配置する消耗部品を抜き差しする動作を行う都度、前記清掃手段を機械的に動作させることを特徴とする。
【０００７】
請求項２の発明は、前記書込装置において、光出力部に対する清掃部材の動作を案内するために、前記光出力部に沿わせてガイド溝を設けたガイド部材を配置し、前記ガイド溝に沿わせて清掃部材を移動させることにより、清掃作用を行うことを特徴とする。
【０００８】
請求項３の発明は、前記ガイド溝の両端部は、前記清掃部材を前記光出力部から離間した位置に案内するように構成されていることを特徴とする。
【０００９】
請求項４の発明は、前記記録部に抜き差し可能に配置する消耗部品に、前記清掃部材に係止される接続手段を設け、前記消耗部品の移動に追従して清掃部材を移動させ、書込装置の光出力部に対する清掃作用を行わせることを特徴とする。
請求項５の発明は、前記記録部に抜き差し可能に配置する消耗部品が感光体ドラムであり、前記感光体ドラムのリヤ側の端部に磁気的な接続手段を設けて、清掃部材を移動させるよう構成したことを特徴とする。
【発明の効果】
【００１０】
本発明によれば、画像形成装置の記録部に配置している各種の機器のうち、感光体ドラムのように装置から抜き差しして着脱するような、消耗部品を移動させる動作に連動させて、書込装置に対して清掃部材を移動させる機構を構成している。また、前記清掃部材と感光体ドラムとが、接続手段によって接続されることで、特に、そのための操作を必要とせず、オペレータが特に意識して実行することなしに、自動的に清掃作用を行うことができる。そして、前記清掃部材の移動と案内のための機構は、特に高価な付属装置を設けることなしに、記録部の空きスペースに容易に組み込むことができる。
【発明を実施するための最良の形態】
【００１１】
以下に説明する画像形成装置は、電子写真方式を用いて用紙に画像を記録する画像形成装置を対象としている。また、単独の機能のみを有するプリンタ、複写機の他に、ファクシミリやプリンタの機能を複写機に複合した複合機を対象とすることもできる。以下の実施例として説明する画像形成装置の記録部においては、一様に帯電された感光体ドラムの表面に画像情報の書込みを行って、静電潜像を作成するために、書込手段としてＬＥＤヘッドを用いている。
【実施例】
【００１２】
図示される例にしたがって、本発明の実施の一形態の画像形成装置の概略構成を説明する。図１に示す画像形成装置１はプリンタ機能を有する小型の装置であり、この画像形成装置１に画像読取装置を接続することによって、複写機としての機能を持たせることができ、また、ＦＡＸモデムを装備することによって、ファクシミリ装置としての機能を持たせることができる。前記画像形成装置１において、装置本体の下部の給紙部と上部に設けている排出トレイ１９との間に、略垂直方向に延びる用紙搬送路４が設けられている。前記画像形成装置下部の給紙部には給紙トレイ２が装備され、給紙ローラ３によって給紙トレイ２上の用紙束から１枚ずつ用紙が分離され、用紙が用紙搬送路４に送り出される。送り出された用紙は、レジストローラ装置５に一時的に保持されて停止され、感光体ドラム１１に形成されたトナー画像とタイミングが合うように再び送り出される。
【００１３】
前記レジストローラ装置５の下流部（図１の上側部分）には、記録部１０が設けられており、前記記録部１０には、感光体ドラム１１とクリーニング装置１２、帯電部材１３および転写ローラ１４が、それぞれの配置関係にしたがって設けられている。さらに、前記感光体ドラム１１に画像情報の書込みを行うために、ＬＥＤヘッド１５が感光体ドラムに近接して設けられている。このＬＥＤヘッド１５は、複数個の発光素子（ＬＥＤ）の発光面側にセルフォックレンズを張り合わせたもので、少なくとも画像形成時には、その発光面が感光体ドラム１１の表面に８〜１０ｍｍ程度まで近接させて位置される。また、前記ＬＥＤヘッド１５よりも感光体ドラムの回転方向の下流側には、トナーを供給するための現像ローラ８を配置している。
【００１４】
前記記録部１０においては、前記感光体ドラム１１に帯電手段１３が放電することで、感光体ドラム１１の表面が一様に帯電され、ＬＥＤヘッド１５から出力された光信号によって、感光体ドラム１１の感光層に静電潜像が形成される。前記静電潜像に対して現像ローラ８からトナーを供給し、トナーが感光体ドラム１１の静電潜像に付着されることにより、可視像としてのトナー画像が形成される。前記感光体ドラム１１上のトナー画像の先端部が、転写ローラ１４とのニップ位置に達するタイミングに合わせて、レジストローラ装置５が駆動されて用紙が画像転写位置に向けて送られる。そして、感光体ドラム１１と転写ローラ１４の間で用紙をニップした状態で、用紙が搬送されながら、用紙の裏面側に転写ローラ１４により転写電圧が印加されることによって、トナー画像が用紙上に転写される。前記トナー画像が転写された用紙は、前記感光体ドラム１１と転写ローラ１４の回転により、定着装置１６に向けて送り出される。
【００１５】
前記した現像ローラ８を備える現像器７は、図示されるように、装置本体の現像器７の装着スペースが上下方向に間隔が狭いことから、上下方向に薄くて、左右方向に巾の広いトナー収容ケーシングを有している。このケーシングは、左右方向に複数の室を持つように構成され、各室毎に回転軸がそれぞれ平行となるように配置され、各回転軸に各室内のトナーを攪拌するとともに、現像ローラ８の側の室に向けて送り出すためのパドル９を取り付けている。そして、現像ローラ８の隣室から送り出されたトナーが、現像ローラ８の表面に薄層状態で担持され、感光体ドラム１１とのニップ部で、前記静電潜像にトナーを移転させることによって、可視像化されたトナー画像が、感光体ドラム１１の表面に形成されることになる。
【００１６】
前記定着装置１６は、トナー画像を担持した用紙に対して加熱と加圧作用を付与し、熱で溶融されたトナーが用紙に押圧されて定着される。そして、定着装置を通過してトナー画像が定着された用紙は、排出路１７を通り排出ローラ装置１８によって、排出トレイ１９上に排出される。なお、本実施例に示す画像形成装置１は、表面に画像が形成された用紙（表面記録済み用紙）を、その表裏を反転させて記録部１０に戻してから、用紙の裏面にも画像を記録する、両面記録可能な装置として構成されている。
【００１７】
前記画像形成装置１においては、両面記録可能に構成するために、前記排出路１７の端部に配置している排出ローラ装置１８を、正逆転可能な装置として構成している。前記定着装置１６から排出ローラ装置１８に至る排出路１７は、切換ゲート２１を配設した位置において、戻し路２０に連結されている。定着装置１６を出た表面記録済み用紙は、その用紙自体の紙の腰の強さによって、切換ゲート２１を押し上げて排出路１７に流入し、正回転している排出ローラ装置１８によって、排出トレイ１９上に排出されることになる。これに対して、用紙の裏面に画像を記録する場合には、用紙を全て排出する前に排出ローラ装置１８を逆回転させて、排出路１７内の用紙を逆方向に送り出す。
【００１８】
前記逆方向に送り出された用紙は、排出路１７および切換ゲート２１の上面に案内されながら戻し路２０内に流入し、戻し路２０内に配設された搬送ローラ装置２２、２２ａにより、用紙は再び記録部１０に向けて送り出される。このときに、用紙の裏面が感光体ドラム１１の表面に臨み、用紙の表面に記録する場合と同様の動作が繰り返されて、記録部１０で用紙の裏面に画像が記録されることになる。なお、本実施例に示す画像形成装置１においては、手差しトレイ２５を配設しており、給紙ローラ２６によって記録部１０に向けて給紙される。
【００１９】
前記感光体ドラム１１および現像器７は、いずれも消耗品であり、感光体ドラム１１が使用により劣化したり、現像器７のケーシング内のトナーが不足して、その本来の機能を発揮できなくなった時には、オペレータが容易に交換できる。これらの消耗品のうち、感光体ドラム１１は、装置本体のフロント側に取付けたフロントカバー（図示を省略）を開いて、その装置本体のフロント側から引き抜き可能なように設けられている。そして、前記感光体ドラム１１は、装置の装着部からフロント側に引き抜くことにより、装置本体から取り外されて、交換用のものを再び装置本体の奥の側に押し込んで、その動作位置に保持されるように構成されている。
【００２０】
なお、この実施例において、消耗部品としては、感光体ドラムのみならず現像器も交換可能な部品として設けている。しかし、本実施例の説明においては、説明を簡素化するために、感光体ドラムについてのみ説明し、他の部材に関しては説明を省略している。そして、他の部材においては、感光体ドラムと同様に、必要に応じて交換可能に構成し、その部品の交換に際して、その部品を移動させる動作に連動して、書込装置の光出力部に対するクリーニング作用を、適宜行い得るものとして構成することで対処可能とすることができる。
【００２１】
前記感光体ドラム１１を装置本体から取り外す際に、前記感光体ドラム１１が現像ローラ８に近接していると、そのドラム表面に付着しているトナーが舞い散り、書込装置としてのＬＥＤヘッド１５において、そのレンズ面（光出力部３１）を汚染する恐れがある。そのために、前記感光体ドラムを取り外す際には、ＬＥＤヘッド１５を光出力部から離間させる方向に、所定の間隔だけ移動させるように構成しているのである。前記ＬＥＤヘッド１５では、図２に示すように、各構成部材を組み合わせているものであるが、図２の斜視図および、図５、６にその一部ずつを断片的に示すように構成されているものである。前記装置本体のフレーム４０に取付けられるＬＥＤヘッド１５は、ＬＥＤ本体３０および保持枠部材３３を有し、感光体ドラム１１に対する書込位置に押圧保持される際に、被押圧板４２および、これ等を組立るための各機能部品としてのネジ部材３６ｂ、コイルバネ３８と４３とから構成されている。
【００２２】
前記ＬＥＤ本体３０においては、その筐体内に複数のＬＥＤ素子を配列した基板を収容しており、そのＬＥＤ素子の発光面側に、光出力部としてのセルフォックレンズ３１が、ＬＥＤ本体３０に筐体の下端面よりも突出させるように固定されている。実際には、前記セルフォックレンズ３１の端部が、感光体ドラム１１の表面に対して、約８〜１０ｍｍの間隔を持たせるような状態に位置決めされて、感光体ドラム１１に対する画像情報の書込が行われる。そして、前記書き込みを行うに際しては、一様に帯電された感光体ドラム１１の表面に向けて、ＬＥＤ素子の各々から画像情報に応じた光信号をドット状に出力し、画像情報の書込作用を行い得るように構成される。
【００２３】
前記ＬＥＤヘッド１５の例において、ＬＥＤ本体３０の筐体の長手方向両側壁に、外側に突出する突部材３２が形成され、前記ＬＥＤ本体３０は、その周囲と上部とが、フレーム４０と保持枠部材３３等により囲まれた状態に設けられている。前記突部材３２を保持枠部材３３の両側板３４に穿設したガイド孔３５にはめ込んで、このガイド孔３５の長手方向（図５の上下方向）に摺動自在に保持枠部材３３に保持されるようにされている。前記保持枠部材３３の上板の長手方向両端から上突部材３７が上側に突出されており、この上突部材３７の内部に図示を省略する円柱状の凹所が形成されている。前記上突部材３７の凹所内に介挿される圧縮コイルバネ（図示を省略）が、ＬＥＤ本体３０の筐体の上面を押圧するよう設けられる。そして、前記ガイド孔３５の確定する下面に、ＬＥＤ本体３０の突部材３２の下面が当接し、ＬＥＤ本体３０の保持枠部材３３に対する位置決めがなされる。
【００２４】
前記保持枠部材３３に保持されたＬＥＤ本体３０は、装置本体のフレーム４０と感光体ドラム１１の間に配置され、装置本体のフレーム４０に近接・離間する方向（感光体ドラム１１の表面に対して離間・近接する方向）に変位させることができる。なお、前記フレーム４０は板状の部材であって、その長手方向両端に穿設した孔に、円柱状のガイドロッド３６を挿通させる。前記フレーム４０の上側には長い板状の被押圧板４２が配置され、ガイドロッド３６が、被押圧板４２の長手方向端部とガイドロッド３６とをネジ部材３６ｂで締結することで、前記被押圧板４２と保持枠部材３３とが固定される。このように、被押圧板４２と保持枠部材３３とを組み付けることによって、保持枠部材３３に保持されたＬＥＤ本体３０は、フレーム４０に対して被押圧板４２と一体的に、感光体ドラム１１に離間・近接する方向に移動可能となる。
【００２５】
また、前記フレーム４０の上面には、孔４１ａの内側寄りの位置に、上側に開口した凹部４１ｂが形成され、前記被押圧板４２の下面には、両端よりも内側寄りの位置に、下側に開口する凹部（図示を省略）が形成されている。そして、前記ＬＥＤ本体３０、保持枠部材３３および被押圧板４２からなるＬＥＤヘッド１５を、フレーム４０に取付けた状態では、フレーム４０の凹部４１ｂと被押圧板４２の凹部とが対向し、圧縮コイルバネ４３の一端がフレーム４０の凹部４１ｂに嵌め込まれ、他端が被押圧板４２の凹部に嵌め込まれている。前記圧縮コイルバネ４３は、被押圧板４２をフレーム４０から離間させる方向に常に付勢している部材である。
【００２６】
したがって、被押圧板４２に締結された保持枠部材３３に対して、ＬＥＤ本体３０が保持されていることから、前記ＬＥＤ本体３０がフレーム４０に近接する方向に、常に付勢されていることになる。そこで、被押圧板４２に力が作用していない状態では、圧縮コイルバネ４３のバネ力によって、被押圧板４２がフレーム４０から離間した位置、つまり、保持枠部材３３およびＬＥＤ本体３０がフレーム４０に近接し、かつ、感光体ドラム１１から離間した位置に移動することになる。このままで、ＬＥＤ本体３０がフレーム４０側に移動すると、保持枠部材３３の上突部材３７がフレーム４０に突き当たって、それ以上の移動されることが阻止されることになるが、フレーム４０には前記上突部材３７を逃がすための貫通孔４１が穿設されているため、ＬＥＤ本体３０はできるだけ感光体ドラム１１の表面から離間させるよう、移動させるすることができる。
【００２７】
感光体ドラム１１に対する書込み位置に、前記ＬＥＤヘッド１５を移動させる際に、前記押圧手段４４が作動されて、押圧レバー４５によりＬＥＤヘッド１５（詳しくは、被押圧板４２）が押圧されると、ＬＥＤヘッド１５は圧縮コイルバネ４３の力に抗って、感光体ドラム１１の表面に向けて接近される。そして、感光体ドラム１１を取り外すために、図示を省略するフロントカバー、つまり、装置本体のフロント側に開閉可能に設けている開閉カバー部材を開いた状態では、被押圧板４２に対する押圧力が付与されない状態となる。したがって、圧縮コイルバネ４３のバネ力によって、ＬＥＤヘッド１５が感光体ドラム１１から離間した位置に保持されている。
【００２８】
したがって、前記感光体ドラム１１を、その収容部のスペースから引き出す際に、現像ローラ８に付着していたトナーが舞い散ったとしても、前記ＬＥＤヘッド１５は感光体ドラム１１から離れた位置に退避しているために、そのレンズ面（光出力部３１）がトナーが付着することによって汚染されることを抑えることができる。他方、前記感光体ドラム１１を再び挿入・固定して、フロントカバーを閉じた状態では、前記被押圧板４２に押圧力が作用する状態が復活するために、この状態においては、ＬＥＤヘッド１５は圧縮コイルバネ４３のバネ力に抗して、光出力部３１を感光体ドラム１１表面に近接させた位置に押圧保持する。
【００２９】
前述したような作用を行う押圧手段４４を設けた装置においては、図２に示すように、装置本体のフレーム４０の上面から立設する一対のブラケットに、シャフト４６が回転可能に支持され、自軸回りに回転するシャフト４６に対して、所定の間隔を介して２つの押圧レバー４５が固定保持されている。そして、前記シャフト４６の長手方向中央部に動作レバー４８が固定され、この動作レバー４８に連動手段としてのワイヤ４９の一端が接続されて、フロントカバーの開閉の動作に連動して、ＬＥＤヘッド１５を感光体ドラム１１に対して離接させる動作を行わせる。
【００３０】
前記ＬＥＤヘッド１５においては、光出力部３１の両側部分をカバーするように、感光体ドラム１１側に向けて一対のガイド板部材５０、５０ａを、保持枠部材３３から下方に延長するように設けている。前記ガイド板部材５０、５０ａは、図３に示すように、両端部では低い位置に湾曲され、ＬＥＤヘッド１５による書き込み範囲では、感光体ドラムの軸線に平行に、ガイド溝５１を設けている。前記ガイド溝５１の両端部には、感光体ドラム側に接近させる方向に湾曲させた部分を形成しているもので、前記ガイド溝５１に案内するよう、清掃部材５３を移動可能に支持している。
【００３１】
前記ガイド溝５１を設けたガイド板部材５０は、ＬＥＤヘッド１５を感光体ドラムに接近させた状態でも、感光体ドラムに接することがないように構成されているものである。なお、図示する例では、その作図の都合から不明確な表現がなされているが、実際には、ガイド板部材の先端部は感光体ドラムに対して、一定の間隔を持たせるように取り付けられるものである。さらに、図示する例では、図５のように、ガイド板部材の一方の板のみを説明する等、省略した方法を用いて説明しているが、前記図２のＬＥＤヘッド１５に対して、一対のガイド板部材を追加して設けることで、そのガイド溝に清掃部材を案内するものである。
【００３２】
前記ガイド板部材５０、５０ａに設けたガイド溝５１に案内される清掃部材５３は、図３、４に示すように構成されたものを用いているもので、フェルト５５またはスポンジのようなクリーニング部材を支持する平らな上板５４の端部に、略Ｌ字状に垂下させた垂下部５７を有している。また、前記上板５４の側部には、溝５１に沿って走行するローラ部材５６……を設けており、前記清掃部材５３の移動をスムーズに行い得るように構成している。前記清掃部材５３の垂下部５７には、磁石５８を設けているもので、感光体ドラムの側部のフランジ５９を磁性体で構成することにより、前記清掃部材の磁石５８をフランジ５９に吸着させる。そして、前記感光体ドラム１１を記録部から引き出したときに、感光体ドラム１１のフランジ５９に清掃部材５３の垂下部５を吸着させた状態で、清掃部材５３を停止位置から引き出すことができるようにする。
【００３３】
なお、前記清掃部材５３が記録部のリヤ側で停止されている状態では、垂下部５７に設けた磁石５８は、ガイド溝５１に沿って移動する高さよりも、若干低い位置に停止保持される。そこで、前記清掃部材５３が停止位置におかれる場合と、ガイド溝５１に沿って移動する場合とで、感光体ドラムのフランジ５９に対する磁石の位置が異なることが、前記清掃部材５３を移動させることにより、磁石５８は感光体ドラム１１のフランジ５９に対して摺動するが、吸着されて一体的に移動する動作に、支障が生じないようにされると良い。
【００３４】
前述したように構成した装置において、感光体ドラムを記録部から取出す際、または、感光体ドラムに対するメンテナンスを行うために、最初に、装置本体のフロント側に配置したフロントドアを開く。前記ドアを開いたことにより、説明を省略している連動機構が作動されて、ＬＥＤヘッドが感光体ドラムから離間する方向に向けて、所定の距離移動される。前述したようにして、ＬＥＤヘッド１５が移動されることにより、前記ＬＥＤヘッドの感光体ドラムに最も近接されている突部としての光照射面が、感光体ドラムから大きく離間する状態とされる。そして、前記光照射面に対して、クリーニング部材５５を摺動させてクリーニング作用を行い得るように、余裕スペースを自動的に形成できるようにしている。
【００３５】
前述したように、記録部から感光体ドラムを引き出す際に、最初にフロントドアを開くことで、ＬＥＤヘッドを感光体ドラムから離間させ、次いで、感光体ドラム１１を装置本体のフロント側に引き出す動作を行う。前記感光体ドラムを引き出す動作の最初には、ガイド溝の端部５１ａの形状にしたがって、清掃部材５３に設けている磁石５５は上昇するが、感光体ドラム１１のフランジ５９に対して前記磁石は摺動しながら、吸引保持される位置は変化する。また、ＬＥＤヘッド１５の光出力窓部（書込部）に沿って、感光体ドラムの軸線に平行に移動する状態では、感光体ドラムのフランジ５９に磁気的に付着保持されている清掃部材５３は、清掃部材５５が光出力窓部を摺動しながら、清掃作用を行うものとされる。そして、前記ガイド溝５１のフロント側の端部に達すると、ガイド溝のフロント側の端部５１ｂの形状にしたがって、清掃部材５３は下降されて、感光体ドラム１１の表面（下面）から離間する位置に停止される。その後に、感光体ドラムが再び装着されると、その装着の動作にしたがって、清掃部材５３は装置本体のリヤ側に向けて移動されて、休止位置に停止保持される。
【００３６】
前記本発明の実施例においては、感光体ドラムの着脱の動作にしたがって、清掃部材を移動させて、ＬＥＤヘッドの光出力窓部を清掃するようにした例を説明したが、その他の部材により、清掃作用を行うように構成することもできる。例えば、記録部に着脱可能な他の部材として、現像装置やトナーカートリッジ等を利用することも良いと考えられるもので、トナーカートリッジを着脱する動作にしたがって、前記清掃部材を移動させてＬＥＤヘッドに対する清掃を行うことも可能である。そして、前記感光体ドラムに近接させて設けているＬＥＤヘッドに対しては、装置本体のフロントドアの開閉の他に、ハンドルを走査する等の他の任意の動作手段を用いて、感光体ドラムの表面に清掃部材が接触しないように、退避させる手段を用いることも可能である。
【図面の簡単な説明】
【００３７】
【図１】画像形成装置の構成を示す説明図である。
【図２】ＬＥＤヘッドと感光体ドラムの関係を示す斜視図である。
【図３】ＬＥＤヘッドの斜め下方から見た斜視図である。
【図４】清掃部材と感光体ドラムの関係の説明図である。
【図５】ＬＥＤヘッドの説明図である。
【図６】ＬＥＤヘッドを側面から見た説明図である。
【符号の説明】
【００３８】
１    画像形成装置、  ２    給紙トレイ、  ４    用紙搬送路、
７    現像器ユニット、  ８    現像ローラ、  １０    記録部、
１１    感光体ドラム、  １５    書込み装置、  １６    定着装置、
１９    排出トレイ、  ２２    搬送ローラ装置、  ３０    ＬＥＤヘッド、
３１    光出力部、  ３２    側突部、  ３３    保持枠部材、  ３４    側板、
３５    ガイド溝、  ３６    上突部材、  ４０    フレーム、  ４２    被押圧板、  ４３    スプリング、  ４４    押圧手段、  ４５    押圧レバー、
５０    ガイド板部材、  ５１    ガイド溝、  ５３    清掃部材、
５４    上板部材、  ５５    クリーナ部材、  ５６    ローラ、  ５７    垂下部、  ５８    磁石、  ５９    感光体ドラムフランジ。
【図１】
2006106446.tif 000003
【図２】
2006106446.tif 000004
【図３】
2006106446.tif 000005
【図４】
2006106446.tif 000006
【図５】
2006106446.tif 000007
【図６】
2006106446.tif 000008